(57)【要約】【課題】特定シーン毎のユーザー状況を容易に表示する機能を備えた情報表示システムを提供すること。【解決手段】情報表示システム３は、ユーザー状況を取得する状況取得部２２０と、前記ユーザー状況を分析して特定シーンを抽出するシーン抽出部３１０と、前記特定シーンと前記ユーザー状況とを関連付けて記録する記憶部３５０と、前記特定シーンにおける前記ユーザー状況を報知する報知部３４０と、を備えている。【選択図】図１
2016202792.tif 000002
【特許請求の範囲】
【請求項１】
ユーザー状況を取得する状況取得部と、
前記ユーザー状況を分析して特定シーンを抽出するシーン抽出部と、
前記特定シーンと前記ユーザー状況とを関連付けて記録する記憶部と、
前記特定シーンにおける前記ユーザー状況を報知する報知部と、
を備えていること、を特徴とする情報表示システム。
【請求項２】
前記状況取得部は、生体情報を取得する生体情報取得部、および体動情報を取得する体動情報取得部、を有し、
前記ユーザー状況は、前記生体情報、および前記体動情報のうちのいずれか一方を含んでいること、を特徴とする請求項１に記載の情報表示システム。
【請求項３】
前記情報取得部は、さらに、位置情報を取得する位置情報取得部、を有し、
前記ユーザー状況は、前記生体情報、前記体動情報、前記位置情報のうちの少なくとも一つを含んでいること、を特徴とする請求項２に記載の情報表示システム。
【請求項４】
前記特定シーンは、時間帯とユーザー状況とによって抽出されること、を特徴とする請求項１から請求項３のいずれか一項に記載の情報表示システム。
【請求項５】
前記特定シーンは、前記位置情報を含むユーザー状況によって抽出されること、を特徴とする請求項３に記載の情報表示システム。
【請求項６】
前記特定シーンは、前記体動情報を含むユーザー状況によって抽出されること、を特徴とする請求項２または請求項３に記載の情報表示システム。
【請求項７】
前記特定シーンは、前記生体情報を含むユーザー状況によって抽出されること、を特徴とする請求項２または請求項３に記載の情報表示システム。
【請求項８】
前記特定シーンを抽出するために用いる前記ユーザー状況の情報が選択できる機能を有していること、を特徴とする請求項１から請求項３のいずれか一項に記載の情報表示システム。
【請求項９】
前記シーン抽出部は、複数の特定シーンを抽出すること、を特徴とする請求項１から請求項８のいずれか一項に記載の情報表示システム。
【請求項１０】
前記報知部に表示される前記ユーザー状況は、前記特定シーンに応じた異なる表示形式で表示されること、を特徴とする請求項１から請求項９のいずれか一項に記載の情報表示システム。
【請求項１１】
前記報知部に表示される前記ユーザー状況は、前記特定シーンに応じた異なるデータ処理が施されること、を特徴とする請求項１から請求項１０のいずれか一項に記載の情報表示システム。
【請求項１２】
前記特定シーンの種類を含む生活パターンを登録する機能を備えていること、を特徴とする請求項１から請求項１１のいずれか一項に記載の情報表示システム。
【請求項１３】
ユーザー状況を分析して特定シーンを抽出するシーン抽出部と、
前記特定シーンと前記ユーザー状況とを関連付けて記録する記憶部と、
前記特定シーンにおける前記ユーザー状況を表示する表示部と、
を備えていること、を特徴とする情報表示装置。
【請求項１４】
ユーザー状況を分析して特定シーンを抽出するシーン抽出工程と、
前記特定シーンと前記ユーザー状況とを関連付けて記録する記録工程と、
前記特定シーンにおける前記ユーザー状況を表示する表示工程と、
を含んでいること、を特徴とする情報表示方法。
【請求項１５】
さらに、前記ユーザー状況を取得する状況取得工程を含んでいること、を特徴とする請求項１４に記載の情報表示方法。
【請求項１６】
ユーザー状況を分析して特定シーンを抽出することと、
前記特定シーンと前記ユーザー状況とを関連付けて記録することと、
前記特定シーンにおける前記ユーザー状況を表示することと、
をコンピューターに実行させることを特徴とするプログラム。
【発明の詳細な説明】
【技術分野】
【０００１】
本発明は、情報表示システム、情報表示装置、情報表示方法、およびプログラムに関する。
【背景技術】
【０００２】
従来、心拍数を測定する脈波センサーなどを含む各種センサーを備えて、ユーザーの行動や生体情報を記録するライフログ記録装置が知られていた。例えば、特許文献１には、運動状態センサー、生命状況センサー、周囲環境センサーを備え、各センサーから出力されたデータにおいて特異な状況と判断された場合に、電子的な印（タグ）を付加して記録するライフログ記録装置が開示されている。このライフログ記録装置によれば、ユーザーが必要とする情報を容易に取り出すことができるとされている。
【先行技術文献】
【特許文献】
【０００３】
【特許文献１】特開２０１０−２７９６３８号公報
【発明の概要】
【発明が解決しようとする課題】
【０００４】
特許文献１に記載のライフログ記録装置は、タグの付加された記録に基づいて、その時に何か変化（異常）が起こったことを知ることができる。しかしながら、このライフログ記録装置は、定期的に繰り返し行われる生活パターン（シーン）の同一シーンを特定し、特定シーン毎の状況を表示する機能を備えていなので、その変化が通常の生活シーンにおいて日常的に起こる変化なのか、何か突発的な異常によって生じた変化なのか、を知ることが困難であった。
【課題を解決するための手段】
【０００５】
本発明は、上述の課題の少なくとも一部を解決するためになされたものであり、以下の形態または適用例として実現することが可能である。
【０００６】
［適用例１］本適用例に係る情報表示システムは、ユーザー状況を取得する状況取得部と、前記ユーザー状況を分析して特定シーンを抽出するシーン抽出部と、前記特定シーンと前記ユーザー状況とを関連付けて記録する記憶部と、前記特定シーンにおける前記ユーザー状況を報知する報知部と、を備えていること、を特徴とする。
【０００７】
本適用例によれば、例えば、ユーザーが毎朝同じコースを散歩する習慣がある場合、ユーザーは、今日と過去との散歩シーン（特定シーン）におけるユーザー状況のデータを集めた報知（表示）を確認することで、その日の体調の状態などを把握することができるようになる。本適用例の情報表示システムは、特定シーンを抽出するシーン抽出部と、特定シーンとユーザー状況のデータとを関連付けて記録する記憶部とを備えており、特定シーンだけを抽出した表示をすることができるので、ユーザーは特定シーン毎のユーザー状況のデータを分析することができるようになる。したがって、特定シーン毎のユーザー状況を容易に表示する機能を備えた情報表示システムを提供することができる。
【０００８】
［適用例２］上記適用例に記載の情報表示システムにおいて、前記状況取得部は、生体情報を取得する生体情報取得部、および体動情報を取得する体動情報取得部、を有し、
前記ユーザー状況は、前記生体情報、および前記体動情報のうちのいずれか一方を含んでいること、が好ましい。
【０００９】
本適用例によれば、情報表示システムは、ユーザー状況として、例えば脈拍や体温などの生体情報、ユーザーの運動量などの体動情報、のうちのいずれか一方を取得する。これらの情報を利用することで、特定シーンを効率的に抽出することができる。
【００１０】
［適用例３］上記適用例に記載の情報表示システムにおいて、前記情報取得部は、さらに、位置情報を取得する位置情報取得部、を有し、前記ユーザー状況は、前記生体情報、前記体動情報、前記位置情報のうちの少なくとも一つを含んでいること、が好ましい。
【００１１】
本適用例によれば、情報表示システムは、ユーザー状況として、例えば脈拍や体温などの生体情報、ユーザーの運動量などの体動情報、ユーザーの位置情報の少なくとも一つを取得する。これらの情報を利用することで、特定シーンをより正確に抽出することができる。
【００１２】
［適用例４］上記適用例に記載の情報表示システムにおいて、前記特定シーンは、時間帯とユーザー状況とによって抽出されること、が好ましい。
【００１３】
本適用例によれば、情報表示システムは、特定シーンを時間帯とユーザー状況とによって抽出するので、毎日同じ生活パターンで行動する人の特定シーンを効率的に抽出することができる。
【００１４】
［適用例５］上記適用例に記載の情報表示システムにおいて、前記特定シーンは、前記位置情報を含むユーザー状況によって抽出されること、が好ましい。
【００１５】
本適用例によれば、情報表示システムは、特定シーンをユーザーの位置情報を含むユーザー状況で抽出するので、毎日同じ場所に出かける人の特定シーンを効率的に抽出することができる。
【００１６】
［適用例６］上記適用例に記載の情報表示システムにおいて、前記特定シーンは、前記体動情報を含むユーザー状況によって抽出されること、が好ましい。
【００１７】
本適用例によれば、情報表示システムは、特定シーンをユーザーの体動情報を含むユーザー状況で抽出するので、定期的に同じ運動を行う人の特定シーンを効率的に抽出することができる。
【００１８】
［適用例７］上記適用例に係る情報表示システムにおいて、前記特定シーンは、前記生体情報を含むユーザー状況によって抽出されること、が好ましい。
【００１９】
本適用例によれば、情報表示システムは、特定シーンをユーザーの脈波などの生体情報を含むユーザー状況によって抽出するので、睡眠や感情の変化に係る特定シーンなどを効率的に抽出することができる。
【００２０】
［適用例８］上記適用例に記載の情報表示システムは、前記特定シーンを抽出するために用いる前記ユーザー状況の情報が選択できる機能を有していること、が好ましい。
【００２１】
本適用例によれば、情報表示システムは、ユーザーの選択したユーザー状況の情報を用いて特定シーンを抽出するので、ユーザーが所望する特定シーンを効率的に抽出することができる。
【００２２】
［適用例９］上記適用例に記載の情報表示システムにおいて、前記シーン抽出部は、複数の特定シーンを抽出すること、が好ましい。
【００２３】
本適用例によれば、情報表示システムは、複数の特定シーンを抽出するので、例えば、散歩や通勤や睡眠などの特定シーンで抽出された複数のユーザー状況を確認することができる。
【００２４】
［適用例１０］上記適用例に記載の情報表示システムにおいて、前記報知部に表示される前記ユーザー状況は、前記特定シーンに応じた異なる表示形式で表示されること、が好ましい。
【００２５】
本適用例によれば、情報表示システムは、特定シーンに応じてその時の得られた情報を表示する。特定シーンが異なると知りたい情報も異なるので、ユーザーは知りたい情報を的確に把握することができる。
【００２６】
［適用例１１］上記適用例に記載の情報表示システムにおいて、前記報知部に表示される前記ユーザー状況は、前記特定シーンに応じた異なるデータ処理が施されること、が好ましい。
【００２７】
本適用例によれば、情報表示システムは、特定シーンによって抽出されたユーザー状況の生体情報のデータをその特定シーンに応じて、例えば統計処理などをする。これにより、特定シーン毎に見やすい表示を生成することができる。
【００２８】
［適用例１２］上記適用例に記載の情報表示システムは、前記特定シーンの種類を含む生活パターンを登録する機能を備えていること、が好ましい。
【００２９】
本適用例によれば、情報表示システムは、日々繰り返されるユーザーの生活パターンを事前に登録する機能を備えているので、生活パターンに含まれている特定シーンの情報を利用して、そのシーンを容易に抽出することができる。
【００３０】
［適用例１３］本適用例に係る情報表示装置は、ユーザー状況を分析して特定シーンを抽出するシーン抽出部と、前記特定シーンと前記ユーザー状況とを関連付けて記録する記憶部と、前記特定シーンにおける前記ユーザー状況を表示する表示部と、を備えていること、を特徴とする。
【００３１】
本適用例によれば、例えば、ユーザーが毎朝同じコースを散歩する習慣がある場合、ユーザーは、今日と過去との散歩シーン（特定シーン）におけるユーザー状況のデータを集めた表示を確認することで、その日の体調の異常などを把握することができるようになる。本適用例の情報表示装置は、特定シーンを抽出するシーン抽出部と、特定シーンとユーザー状況のデータとを関連付けて記録する記憶部と、を備えているので特定シーンだけを抽出した表示をすることができる。これにより、ユーザーは特定シーン毎のユーザー状況のデータを分析することができるようになる。したがって、特定シーン毎のユーザー状況を容易に表示する機能を備えた情報表示装置を提供することができる。
【００３２】
［適用例１４］本適用例に係る情報表示システムの情報表示方法は、ユーザー状況を分析して特定シーンを抽出するシーン抽出工程と、前記特定シーンと前記ユーザー状況とを関連付けて記録する記録工程と、前記特定シーンにおける前記ユーザー状況を表示する表示工程と、を含んでいること、を特徴とする。
【００３３】
本適用例によれば、情報表示システムに記録されている、例えば散歩などの特定シーンを抽出するシーン抽出工程と、抽出した特定シーンとユーザー状況のデータとを関連付けて記録する記録工程と、特定シーンにおけるユーザー状況のデータを表示する表示工程と、を含んでいるので、特定シーンだけを抽出して表示させることができる。これにより、ユーザーは特定シーン毎のユーザー状況のデータを分析することができるようになる。したがって、特定シーン毎のユーザー状況を容易に表示させる情報表示方法を提供することができる。
【００３４】
［適用例１５］上記適用例に記載の情報表示システムの情報表示方法は、さらに、前記ユーザー状況を取得する状況取得工程を含んでいること、が好ましい。
【００３５】
本適用例によれば、例えば、ユーザーが毎朝同じコースを散歩する習慣がある場合、本適用例の情報表示システムは、ユーザー状況を取得する状況取得工程を含んでいるので、散歩と同時に取得され特定シーンとして記録された散歩シーンと、過去に記録された散歩シーンにおけるユーザー状況のデータを集めた表示を確認することで、その日の体調の異常などを把握することができるようになる。
【００３６】
［適用例１６］本適用例に係るプログラムは、ユーザー状況を分析して特定シーンを抽出することと、前記特定シーンと前記ユーザー状況とを関連付けて記録することと、前記特定シーンにおける前記ユーザー状況を表示することと、をコンピューターに実行させることを特徴とする。
【００３７】
本適用例によれば、例えば、ユーザーが毎朝同じコースを散歩する習慣がある場合、ユーザーは、今日と過去との散歩シーン（特定シーン）におけるユーザー状況のデータを集めた表示を確認できるようになり、その日の体調の異常などを把握することができる。本適用例のプログラムは、特定シーンを抽出することと、特定シーンとユーザー状況のデータとを関連付けて記録することと、特定シーンにおけるユーザー状況のデータを表示することとを、実行させるプログラムを備えているので特定シーンだけを抽出した表示をさせることができる。これにより、ユーザーは特定シーン毎のユーザー状況のデータを分析することができるようになる。したがって、特定シーン毎のユーザー状況を容易に表示させるプログラムを提供することができる。
【図面の簡単な説明】
【００３８】
【図１】実施形態１に係る情報表示システムの機能ブロック図。
【図２】（ａ）情報取得装置を正面方向側から見た図。（ｂ）情報取得装置を斜め上方向側から見た図。
【図３】情報取得装置の概略の外観図。
【図４】情報取得装置の装着及び情報表示装置との通信についての概略を示す説明図。
【図５】脈波センサーの詳細な構成例を示す正断面図。
【図６】ユーザー状況の情報表示方法を示す工程図。
【図７】特定シーンの種類を含むユーザーの生活パターンを示す図。
【図８】特定シーンのシーン定義を説明する図。
【図９】生体情報を取得した結果の一例を示す図。
【図１０】特定シーンの一例としての「散歩」シーンの抽出を説明する図。
【図１１】（ａ）抽出された特定シーンとユーザー状況とを表示させた一例を示す図。（ｂ）特異点の地図情報の一例を示す図。
【図１２】実施形態２に係る情報表示システムの機能ブロック図。
【図１３】ユーザー状況の情報表示方法を示す工程図。
【発明を実施するための形態】
【００３９】
以下、本発明の実施形態について、図面を参照して説明する。なお、以下の各図においては、各層や各部材を認識可能な程度の大きさにするため、各層や各部材の尺度を実際とは異ならせている。
【００４０】
（実施形態１）
＜情報表示システムの全体構成例＞
図１は、実施形態１に係る情報表示システムの機能ブロック図である。本実施形態に係る情報表示システムの全体構成について図１を参照して説明する。図１に示すように、情報表示システム３は、情報取得装置１と、情報表示装置２と、を含んでいる。
【００４１】
情報取得装置１は、ユーザー状況を取得する状況取得部２２０、処理部２１０、振動発生部２５０、表示部２６０、記憶部２７０、通信部２８０を含んでいる。状況取得部２２０は、生体情報を取得する生体情報取得部４０、体動情報を取得する体動情報取得部２４０、および位置情報を取得する位置情報取得部２３０を有している。
【００４２】
生体情報取得部４０は、例えば、後述する脈波センサー４２（図５参照）や図示しない体温計などを備えることができる。脈波センサー４２は、ユーザーの脈波を検出するセンサーであり、光学式や超音波式などの検出方法を用いることができる。本実施形態では、光学式の光電センサーを用いており、光電センサーは検出された信号を脈波検出信号として出力する。体温計はユーザーの体温を検出する温度センサーであり、温度センサーは検出された信号を体温信号として出力する。温度センサーとしては、サーミスタ式や赤外線式などによる検出方法を用いることができる。
【００４３】
体動情報取得部２４０は、例えば、体動センサーを備えることができる。体動センサーは、ユーザーの体の動きを検出するセンサーであり、加速度センサーを用いることができる。加速度センサーは体動に応じて変化する信号を体動検出信号として出力する。なお、体動センサーとして、圧力センサーやジャイロセンサーなどを用いてもよい。脈波センサー４２、加速度センサー、体温計により検出された生体情報の信号は、Ａ／Ｄコンバーターを介して処理部２１０にデジタル信号として入力される。
【００４４】
位置情報取得部２３０は、航法衛星としてのＧＰＳ衛星５から衛星信号を受信する。まず、ＧＰＳ衛星５から送信される衛星信号を用いて、位置情報と時刻情報とを求めるＧＰＳの概要を説明する。
【００４５】
ＧＰＳ衛星５は、地球の上空において、所定の軌道上を周回する航法衛星であり、１．５７５４２ＧＨｚの電波（Ｌ１波）に航法メッセージを重畳させて地上に送信している。以降の説明では、航法メッセージが重畳された１．５７５４２ＧＨｚの電波を衛星信号という。衛星信号は、右旋偏波の円偏波である。
【００４６】
現在、地球の上空には約３１個のＧＰＳ衛星５が周回しており、衛星信号がどのＧＰＳ衛星５から送信されたかを識別するために、各ＧＰＳ衛星５はＣ／Ａコード（Coarse／Acquisition Code）と呼ばれる１０２３チップ（１ｍｓ周期）の固有のパターンを衛星信号に重畳する。Ｃ／Ａコードは、各チップが＋１、または−１のいずれかであり、ランダムパターンのように見える。したがって、衛星信号と各Ｃ／Ａコードのパターンの相関をとることにより、衛星信号に重畳されているＣ／Ａコードを検出することができる。
【００４７】
ＧＰＳ衛星５は原子時計を搭載しており、衛星信号には原子時計で計時された極めて正確なＧＰＳ時刻情報が含まれている。また、地上のコントロールセグメントにより各ＧＰＳ衛星５に搭載されている原子時計のわずかな時刻誤差が測定されており、衛星信号にはその時刻誤差を補正するための時刻補正パラメーターも含まれている。情報取得装置１は、１つのＧＰＳ衛星５から送信された衛星信号を受信し、その中に含まれるＧＰＳ時刻情報と時刻補正パラメーターとを使用して時刻情報を取得する。
【００４８】
衛星信号にはＧＰＳ衛星５の軌道上の位置を示す軌道情報も含まれている。情報取得装置１は、ＧＰＳ時刻情報と軌道情報とを使用して測位計算を行うことができる。測位計算は、情報取得装置１の内部時刻にある程度の誤差が含まれていることを前提として行われる。すなわち、情報取得装置１の三次元の位置を特定するためのｘ，ｙ，ｚパラメーターに加えて時刻誤差も未知数になる。そのため、情報取得装置１は、一般的には４つ以上のＧＰＳ衛星５からそれぞれ送信された衛星信号を受信し、その中に含まれるＧＰＳ時刻情報と軌道情報を使用して測位計算を行い、現在地の位置情報を求める。
【００４９】
位置情報取得部２３０は、アンテナ２３５を備え、処理部２１０の制御に従ってアンテナ２３５を介して受信した衛星信号を処理してＧＰＳ時刻情報や位置情報を取得する。アンテナ２３５は、地球の上空を所定の軌道で周回している複数のＧＰＳ衛星５から送信された衛星信号の電波を受信する。
【００５０】
位置情報取得部２３０は、図示を略すが、通常のＧＰＳ装置と同様に、ＧＰＳ衛星５から送信される衛星信号を受信してデジタル信号に変換するＲＦ（Radio Frequency）部と、受信した衛星信号の相関判定を実行して航法メッセージを復調するＢＢ部（ベースバンド部）と、ＢＢ部で復調された航法メッセージからＧＰＳ時刻情報や軌道情報を取得して出力する情報取得部と、を備えている。つまり、位置情報取得部２３０は、ＧＰＳ衛星５から送信される衛星信号を受信し、受信結果に基づいてＧＰＳ時刻情報と軌道情報とを出力する受信部として機能する。
【００５１】
ＲＦ部は、バンドパスフィルター、ＰＬＬ回路、ＩＦフィルター、ＶＣＯ（Voltage Controlled Oscillator）、ＡＤＣ（Ａ／Ｄ変換器）、ミキサー、ＬＮＡ（Low Noise Amplifier）、ＩＦアンプ等を備えている。バンドパスフィルターで抜き出された衛星信号は、ＬＮＡで増幅された後、ミキサーでＶＣＯの信号とミキシングされ、ＩＦ（Intermediate Frequency：中間周波数）にダウンコンバートされる。ミキサーでミキシングされたＩＦは、ＩＦアンプ、ＩＦフィルターを通り、ＡＤＣでデジタル信号に変換される。
【００５２】
ＢＢ部は、ＧＰＳ衛星５で送信時に使用されたものと同一のＣ／Ａコードからなるローカルコードを生成するローカルコード生成部と、ローカルコードとＲＦ部から出力される受信信号との相関値を算出する相関部とを備える。そして、相関部で算出された相関値が所定の閾値以上であれば、受信した衛星信号に用いられたＣ／Ａコードと、生成したローカルコードとが一致していることになり、衛星信号を捕捉（同期）することができる。このため、受信した衛星信号を、ローカルコードを用いて相関処理することで、航法メッセージを復調することができる。
【００５３】
情報取得部は、ＢＢ部で復調した航法メッセージからＧＰＳ時刻情報や軌道情報を取得する。航法メッセージには、プリアンブルデータおよびＨＯＷワードのＴＯＷ（Time of Week、「Ｚカウント」ともいう）、サブフレームデータが含まれている。サブフレームデータは、第１サブフレームから第５サブフレームまであり、各サブフレームには、例えば、週番号データや衛星健康状態データを含む衛星補正データ等や、エフェメリス（ＧＰＳ衛星５毎の詳細な軌道情報）や、アルマナック（全ＧＰＳ衛星５の概略軌道情報）などのデータが含まれている。したがって、情報取得部は、受信した航法メッセージから所定のデータ部分を抽出することにより、ＧＰＳ時刻情報や軌道情報を取得することができる。
【００５４】
上述したように、本実施形態の位置情報取得部２３０は、衛星信号の受信から衛星信号の処理、位置情報の取得までを完結している。これにより、衛星信号を外部で処理したり、衛星信号を外部に送信したりする必要がなくなるので、情報取得装置１の構成を簡素化することができる。
【００５５】
なお、本実施形態では、衛星信号としてＧＰＳ衛星５から送信される電波を用いるものとして説明したが、これに限定するのもではない。例えば、ガリレオ（Galileo）、ＧＬＯＮＡＳＳ（Global Navigation Satellite System）、Ｃｏｍｐａｓｓなどの全地球航法衛星システム（ＧＮＳＳ：Global Navigation Satellite System）の衛星信号（電波）を使用することができる。
【００５６】
処理部２１０は、例えば記憶部２７０をワーク領域として、各種の信号処理や制御処理を行うものであり、例えばＣＰＵ等のプロセッサー或いはＡＳＩＣなどの論理回路により実現できる。処理部２１０は、信号処理部２１２、拍動演算部２１４、報知制御部２１６、計時部２１８を含んでいる。
【００５７】
信号処理部２１２は各種の信号処理（フィルター処理等）を行うものであり、例えば、生体情報取得部４０に備えられている脈波センサー４２からの脈波検出信号や体温計からの体温信号、体動情報取得部２４０に備えられている加速度センサーからの体動検出信号などに対して信号処理を行う。例えば信号処理部２１２は図示しない体動ノイズ低減部を含んでいる。体動ノイズ低減部は、加速度センサーからの体動検出信号に基づいて、脈波検出信号から、体動に起因したノイズである体動ノイズを低減（除去）する処理を行う。具体的には、適応フィルターなどを用いたノイズ低減処理を行う。
【００５８】
拍動演算部２１４は、信号処理部２１２からの信号等に基づいて、拍動情報の演算処理を行う。拍動情報は例えば脈拍数などの情報である。具体的には、拍動演算部２１４は、体動ノイズ低減部でのノイズ低減処理後の脈波検出信号に対してＦＦＴ（高速フーリエ変換：Fast Fourier Transform）等の周波数解析処理を行って、スペクトルを求め、求めたスペクトルにおいて代表的な周波数を心拍の周波数とする処理を行う。求めた周波数を６０倍にした値が、一般的に用いられる脈拍数（心拍数）となる。なお、拍動情報は脈拍数そのものには限定されず、例えば脈拍数を表す他の種々の情報（例えば心拍の周波数や周期等）であってもよい。また、拍動の状態を表す情報であってもよく、例えば血液量そのものを表す値を拍動情報としてもよい。
【００５９】
報知制御部２１６は表示部２６０を制御する。表示部２６０は、報知制御部２１６の制御により、ユーザーに各種の情報を表示する。また報知制御部２１６は振動発生部２５０の制御を行う。振動発生部２５０は、振動により各種の情報をユーザーに報知するものである。振動発生部２５０は例えば振動モーター（バイブレーター）により実現できる。振動モーターは、例えば、偏心した錘を回転させることで振動を発生する。具体的には駆動軸（ローター軸）の両端に偏心した錘を取り付けてモーター自体が揺れるようにする。振動発生部２５０の振動は報知制御部２１６により制御される。なお振動発生部２５０はこのような振動モーターには限定されず、種々の変形実施が可能である。例えばピエゾ素子などにより振動発生部２５０を実現してもよい。
【００６０】
振動発生部２５０による振動により、例えば電源オン時のスタートアップの報知、初回の脈波検出の成功の報知、脈波が検出できない状態が一定時間続いた時の警告、脂肪燃焼ゾーンの移動時の報知、電池電圧低下時の警告、起床アラームの通知、或いは情報表示装置２としての携帯端末からのメールや電話等の通知などが可能になる。なお、これらの情報の伝達は、表示部２６０に表示してもよいし、振動発生部２５０、表示部２６０の両者を用いてもよい。
【００６１】
計時部２１８は、例えば、リアルタイムクロック（ＲＴＣ：Real Time Clock）などで実現され、情報取得装置１の時計機能やタイマー機能などの計時機能を有している。計時部２１８の時刻は、位置情報取得部２３０で受信したＧＰＳ時刻情報で修正される。
【００６２】
記憶部２７０は、生体情報取得部４０、体動情報取得部２４０、位置情報取得部２３０で得られたユーザー状況のデータや各種テーブル等の格納、処理部２１０の作業領域等を確保するためのものであり、ＲＡＭ（Random Access Memory）、ＥＥＰＲＯＭ（Electrically Erasable Programmable Read Only Memory）などの記憶素子を有する。
【００６３】
通信部２８０は、外部の情報表示装置２の通信処理を行う。例えば、ブルートゥース（Bluetooth（登録商標））などの通信規格にしたがった無線通信の処理を行う。具体的には、通信部２８０は、アンテナ２８５からの信号の受信処理や、アンテナ２８５への信号の送信処理を行う。この通信部２８０の機能は通信用のプロセッサー或いはＡＳＩＣなどの論理回路により実現できる。なお、通信部２８０はEthernet（登録商標）等の有線通信を備えていてもよい。
【００６４】
図１に示すように、情報表示装置２は、処理部３００、通信部３３０、報知部としての表示部３４０、記憶部３５０を含んでいる。情報表示装置２には、汎用のパーソナルコンピューター、スマートフォンやタブレットコンピューターなどの携帯端末を用いることもできる。
【００６５】
通信部３３０は、アンテナ３３５を備え情報取得装置１との間の通信処理を行う。具体的には通信部３３０は、アンテナ３３５からの信号の受信処理や、アンテナ３３５への信号の送信処理を行い、情報取得装置１から出力されるユーザー状況などのデータの収集を行う。この通信部３３０の機能は通信用のプロセッサー或いはＡＳＩＣなどの論理回路により実現できる。
【００６６】
処理部３００は、シーン抽出部３１０、表示制御部３２０を含んでいる。シーン抽出部３１０は、ユーザー状況を分析して特定シーンを抽出する。例えば、ユーザーが毎朝同じコースを散歩する習慣がある場合、シーン抽出部３１０は、ユーザー状況のデータから散歩シーン（特定シーン）のデータだけを抽出する。表示制御部３２０は表示部３４０を制御する。表示部３４０は、表示制御部３２０の制御により、特定シーンにおけるユーザー状況などを報知（表示）する。
【００６７】
記憶部３５０は、情報取得装置１から出力されたユーザー状況のデータやシーン抽出部３１０で抽出された特定シーンとユーザー状況とを関連付けたデータ等の格納、処理部３００の作業領域等を確保するためのものであり、ＲＡＭ（Random Access Memory）、ＥＥＰＲＯＭ（Electrically Erasable Programmable Read Only Memory）などの記憶素子を有する。
【００６８】
記憶部３５０には、プログラム３６０が格納されている。プログラム３６０は、処理部３００に読み込まれ実行されることで、情報取得装置１から受信したユーザー状況を分析して特定シーンを抽出することと、特定シーンとユーザー状況とを関連付けて記憶部３５０に記録することと、特定シーンにおけるユーザー状況を表示部３４０に表示することと、を実現する。
【００６９】
＜情報取得装置の概略構造＞
図２（ａ）、図２（ｂ）、図３に、情報取得装置の概略の外観図を示す。図２（ａ）は、情報取得装置を正面方向側から見た図であり、図２（ｂ）は、図２（ａ）における斜め上方向側から見た図であり、図３は側面方向側から見た図である。なお、本実施形態の情報取得装置は図２（ａ）、図２（ｂ）、および図３の構成に限定されず、その構成要素の一部を省略したり、他の構成要素に置き換えたり、他の構成要素を追加したりするなどの種々の変形実施が可能である。
【００７０】
図２（ａ）、図２（ｂ）、および図３に示すように本実施形態の情報取得装置１はバンド部１０とケース部３０とを有している。ケース部３０はバンド部１０に取り付けられている。バンド部１０はユーザーの手首に巻き付けて情報取得装置１を装着するためのものである。バンド部１０はバンド穴１２、バックル部１４を有している。バックル部１４はバンド挿入部１５と突起部１６を有している。ユーザーは、バンド部１０の一端側を、バックル部１４のバンド挿入部１５に挿入し、バンド部１０のバンド穴１２にバックル部１４の突起部１６を挿入することで、情報取得装置１を手首に装着する。
【００７１】
ケース部３０は、情報取得装置１の本体部に相当するものである。ケース部３０の内部には、生体情報取得部４０、処理部２１０（図１参照）等の情報取得装置１の種々の構成部品が備えられている。即ち、ケース部３０は、これらの構成部品を収納する筐体である。このケース部３０は、例えば手首と反対側に位置するトップケース３４と、手首側に位置するボトムケース３６を有する。ケース部３０のトップケース側には表示部２６０が設けられている。また、ボトムケース側には後述する凸部５２が設けられている。なおケース部３０は、トップケース３４とボトムケース３６に分離される態様のものでなくてもよい。
【００７２】
表示部２６０は、時刻、測定されたユーザー状況など、各種情報を表示するためのものであり、例えば、液晶ディスプレイ、有機ＥＬディスプレイや電子ペーパーディスプレイなどで構成できる。特に、有機ＥＬディスプレイ、電子ペーパーディスプレイで構成した場合には、省電力で駆動するため、ユーザー状況を長時間に亘って測定できる。
【００７３】
図３に示すようにケース部３０には端子部３５が設けられている。情報取得装置１を図示しないクレードルに装着すると、クレードルの端子部とケース部３０の端子部３５とが電気的に接続される。これによりケース部３０に設けられる二次電池（バッテリー）の充電が可能になる。
【００７４】
図４は情報取得装置１の装着及び情報表示装置２との通信についての概略を示す説明図である。図４に示すようにユーザー（被検体ともいう）は手首４に情報取得装置１を時計のように装着する。図３に示すように、ケース部３０の手首４側の面には生体情報取得部４０が設けられている。従って、情報取得装置１が装着されると、生体情報取得部４０の凸部５２が手首４の皮膚表面に接触して押圧を与え、その状態で生体情報取得部４０の各種センサーが脈波等の生体情報を検出する。情報取得装置１と情報表示装置２は上述の通信部２８０，３３０を介して通信接続されて、データのやり取りが可能になっている。
【００７５】
腕時計型の情報取得装置１に備えられている表示部２６０の表示エリアは狭く、そこに表示可能な情報量も限られる。このように情報取得装置１と情報表示装置２が通信接続されることで、情報表示装置２の表示部３４０（ＬＣＤ等）に、脈拍数や消費カロリーなどの詳細な情報や、蓄積された生体情報をグラフ化したデータなどが表示できる。逆に、情報表示装置２においてメール等を受信した場合には、その情報を情報表示装置２から情報取得装置１に転送させることもできる。なお、脈拍数や消費カロリーなどの情報の演算処理は、情報取得装置１において実行してもよいし、その少なくとも一部を情報表示装置２において実行してもよい。
【００７６】
＜脈波センサーの構成例＞
次に、生体情報取得部４０に備えられている脈波センサー４２の構成例について説明する。図５は、脈波センサー４２の詳細な構成例を示す正断面図である。
【００７７】
脈波センサー４２は、図５に示すように、基板１６０と、発光部１５０と、受光部１４０と、遮光用部材７０と、絞り部８０（８０ａ，８０ｂ）とを有する光検出ユニットと、他の部材とから構成されている。他の部材とは、透光部材５０により実現される凸部５２、溝部５４、凹部５６、押圧抑制部５８等である。
【００７８】
受光部１４０と発光部１５０とは、所定の間隔を有して基板１６０（センサー基板）に実装されている。発光部１５０は被検体に対して光を射出し、受光部１４０は被検体からの光（反射光、透過光等）を受光する。例えば発光部１５０が光を射出し、その光が被検体（例えば血管）により反射されると、受光部１４０がその反射光を受光して検出する。発光部１５０は、例えばＬＥＤ等の発光素子により実現できる。受光部１４０は、例えば、フォトダイオード等の受光素子や、半導体の基板に形成されたＰＮ接合のダイオード素子などにより実現できる。
【００７９】
なお、発光部１５０に設けられるドーム型レンズ１５１（広義には集光レンズ）は、発光部１５０に樹脂封止（光透過樹脂で封止）されるＬＥＤチップ（広義には発光素子チップ）からの光を集光するためのレンズである。即ち、表面実装型の発光部１５０では、ＬＥＤチップがドーム型レンズ１５１の下方に配置されており、ＬＥＤチップからの光は、ドーム型レンズ１５１により集光されて被検体に射出される。これにより光検出ユニットの光学的な効率を向上できる。
【００８０】
発光部１５０からの光は、対象物である被検体の内部を進み、表皮、真皮及び皮下組織等で拡散、または散乱する。その後、この光は、血管（被検出部位）に到達し、反射される。この際に、光の一部は血管により吸収される。そして、脈拍の影響により血管での光の吸収率が変化し、反射光の光量も変化するため、受光部１４０がこの反射光を受光して、その光量の変化を検出することで、生体情報である脈拍数等を検出できるようになる。
【００８１】
受光部１４０と発光部１５０との間には、遮光部としての遮光用部材７０（遮光壁１００）が設けられている。この遮光用部材７０（遮光壁１００）は、例えば発光部１５０からの光（直接光等）が受光部１４０に直接入射されるのを遮光する。そして、この遮光用部材７０（遮光壁１００）は、例えば板金加工により形成することができる。なお、遮光用部材７０（遮光壁１００）は、他にも金属材料以外の材料として、ゴム等の樹脂（天然樹脂及び合成樹脂を含む）があげられる。
【００８２】
遮光部としての遮光用部材７０は、光の遮光を行うための部材である。本実施形態では、遮光用部材７０は、受光部１４０と発光部１５０との間に遮光壁１００として設けられ、受光部１４０を遮光している。なお、遮光用部材７０は受光部１４０の一部を覆うように設けられ、受光部１４０への入射光を遮光する構成であってもよい。このような遮光用部材７０（遮光壁１００）により、発光部１５０からの光（直接光）が受光部１４０に入射されるのを抑制しながら検出性能を向上できる。
【００８３】
また、遮光部としての遮光用部材７０（遮光壁１００）の少なくとも受光部１４０の面には、反射抑制加工を行うことが望ましい。例えば遮光用部材７０の表面（内側面等）の色を、黒色等の所定色にして、光の乱反射を防ぐようにする。或いは、遮光用部材７０の表面をモスアイ構造にしてもよい。例えば数十〜数百ｎｍ周期の凹凸構造を表面に形成して、反射防止構造とする。このような反射抑制加工をすれば、例えば遮光用部材７０の表面での反射光が迷光となって、検出信号のノイズ成分となってしまう事態を効果的に抑制できる。
【００８４】
受光部１４０、発光部１５０、および遮光部としての遮光用部材７０（遮光壁１００）は、基板１６０に実装される。基板１６０は、例えばリジッド基板である。基板１６０には、受光部１４０の信号・電源の端子（図示せず）と接続するための端子（図示せず）や、外部のメイン基板との間で信号・電源を接続するための端子（図示せず）が設けられている。例えば受光部１４０の端子と基板１６０の端子とは、ワイヤボンディング等により接続される。
【００８５】
また、生体情報取得部４０には絞り部８０（８０ａ，８０ｂ）が設けられている。絞り部８０は、被検体と生体情報取得部４０の間の光路において、被検体からの光を絞ったり、発光部１５０からの光を絞ったりする。図５では、絞り部８０は、透光部材５０と発光部１５０の間に設けられている。但し、絞り部８０を透光部材５０と被検体との間や透光部材５０内に設けてもよい。
【００８６】
透光部材５０は、情報取得装置１の被検体に接触する側の面に設けられ、被検体からの光を透過する。また透光部材５０は、被検体の生体情報の測定時に、被検体に接触する。例えば透光部材５０の凸部５２（検出窓）が被検体に接触する。なお凸部５２の表面形状は、曲面形状（球面形状）であることが望ましいが、これに限定されるものではなく、種々の形状を採用できる。また、透光部材５０は、被検体からの光の波長を透過することができるものであればよく、透明な材料を用いてもよいし、有色の材料を用いてもよい。
【００８７】
透光部材５０の凸部５２の周囲には、押圧変動等を抑制するための溝部５４が設けられている。また、透光部材５０において凸部５２が設けられる側の面を第１の面とした場合に、透光部材５０は、その第１の面の裏側の第２の面において凸部５２に対応する位置に、凹部５６を有している。この凹部５６のスペースに、受光部１４０、発光部１５０、遮光用部材７０、絞り部８０が設けられている。
【００８８】
また情報取得装置１の被検体側の面には、凸部５２が被検体（手首の肌）に与える押圧を抑制する押圧抑制部（第２凸部）５８が設けられている。図５では押圧抑制部５８は、透光部材５０の凸部５２を囲むように設けられている。そして、凸部５２は、押圧抑制部（押圧抑制面）５８よりも被検体側に突出している。
【００８９】
このような凸部５２を設けることで、例えば静脈消失点を超えるための初期押圧を被検体に対して与えることが可能になる。また、凸部５２が被検体に与える押圧を抑制するための押圧抑制部５８を設けることで、情報取得装置１により生体情報の測定を行う使用範囲において、押圧変動を最小限に抑えることが可能になり、ノイズ成分等の低減を図れる。また、凸部５２が押圧抑制部５８から突出していれば、凸部５２が被検体に接触して初期押圧を与えた後に、押圧抑制部５８が被検体に接触して、凸部５２が被検体に与える押圧を抑制できるようになる。ここで静脈消失点とは、被検体に凸部５２を接触させ押圧を次第に強くした時に、脈波信号に重畳された静脈に起因する信号が消失、または脈波測定に影響しない程度に小さくなる点のことである。
【００９０】
なお、情報取得装置１は、ユーザーの手首に巻きつけて装着するものと説明したが、ユーザーの腕、胸、首、頭などの部位に装着してもよい。また、これらの部位に複数装着してもよい。
また、情報取得装置１は、ひずみ計、温度計、体温計、加速度センサー、ジャイロセンサー、圧電センサー、気圧センサー、血圧計、電気化学的センサー、ＧＰＳ（Global Positioning System）、振動計、等の各種センサーを備えていてもよい。これらのセンサーを備えることで、心拍、脈拍、拍動間の変異、ＥＫＧ（ElektroKardiogram：心電図）、ＥＣＧ（Electrocardiogram：心電図）、呼吸数、皮膚温度、体温、体の熱流、電気皮膚反応、ＧＳＲ（Galvanic skin reflex：皮膚電気反射）、ＥＭＧ（Electromyogram：筋電図）、ＥＥＧ（electroencephalogram：脳電図）、ＥＯＧ（Electrooculography：眼球電図）、血圧、体脂肪、水分補給レベル、活動レベル、体動、酸素消費量、グルコース、血糖値、筋肉量、筋肉にかかる圧力、骨にかかる圧力、紫外線吸収、睡眠状態、体調、ストレス状態、体位（例えば、横臥、直立、座位、等）等の、１または１以上の生理学的パラメーターを示すデータに基づいて、個人の生理学的状態に関する情報を導出することができる。
【００９１】
＜特定シーンの表示方法＞
図６は、ユーザー状況の情報表示方法を示す工程図である。特定シーンにおけるユーザー状況の情報表示方法について、図６〜図１１を参照しながら説明する。
【００９２】
ステップＳ１０１は、情報表示システム３の初期設定を行う準備工程である。図７は、特定シーンの種類を含むユーザーの生活パターンを示す図である。図８は、特定シーンのシーン定義を説明する図である。ステップＳ１０１の準備工程について、図７および図８を用いて説明する。準備工程では、特定シーンを抽出するための生活パターンおよびシーン定義の登録を行う。図７は、平日におけるユーザーの生活パターンの一例を示しており、人は、平日、休日、曜日などにより一日の生活パターンがある程度決まっている。図７の横軸は、時間帯を示し、縦軸はユーザーの行動範囲（位置情報）を示す。
【００９３】
図７には、「睡眠」、「散歩」、「通勤」、「勤務」、「アフター５」などの特定シーンが示されている。例えば、「散歩」の場合、ユーザーは起床後に自宅から出発し自宅周辺を散歩して自宅に戻る。「通勤（出勤）」の場合、ユーザーは決まった時間に自宅を出発し決まった時間に会社に着く。「勤務」の場合、勤務時間中、ユーザーは社内に留まっている。このように、ユーザーはある程度決まった時間および場所で決まった行動（特定シーン）を行うので、情報表示システム３は後述する特定シーンの抽出における基礎データとして特定シーンの種類を含む生活パターンを登録する機能を備えており、ユーザーは事前に生活パターンを入力する。なお、生活パターンは曜日や季節によって変わるので、本実施形態の情報表示システム３は、予め複数種類の生活パターンを登録しておき、ユーザーがその日の生活パターンを選択できる機能を有している。
【００９４】
図８は、シーン定義の一例としての「散歩」シーン定義を示しており、シーン定義では、「時間帯」、「場所」、「抽出方法」、「表示方法」などを入力する必要がある。散歩であれば、散歩を行う「時間帯」として、例えば「月〜金曜日」、「６時〜７時」などの情報を入力し、散歩を行う「場所」として、例えば「自宅」→「経由地」→「自宅」などの情報を入力する。
【００９５】
特定シーンは、時間帯とユーザー状況とによって抽出され、使用されるユーザー状況は、生体情報、体動情報、位置情報のうちの少なくとも一つを含んでいる。「抽出方法」は、特定シーンを抽出させるために使用するユーザー状況の種類を入力する。例えば、「散歩」の特定シーンを、位置情報を含むユーザー状況によって抽出させる場合は、「時間帯」および「位置情報」を指定する。
【００９６】
上記の他、特定シーンは、体動情報を含むユーザー状況によって抽出させる方法、生体情報を含むユーザー状況によって抽出させる方法がある。例えば、「睡眠」シーンであれば、脈拍や体温などの生体情報を含むユーザー状況によって抽出させることができる。また、運動量の大きい「ジョギング」シーンであれば、腕の振りなどの体動情報を含むユーザー状況によって抽出させることもできる。本実施形態の情報表示システム３は、情報取得装置１が備えている特定シーンを抽出するために用いるユーザー状況の種類が選択できる機能を有しており、ユーザーは特定シーン毎にユーザー状況の種類を選択する。これにより、各種の特定シーンを効率的に抽出することができる。
【００９７】
表示方法は、ある期間における特定シーンを抽出して表示させる時の「表示内容」、「表示形式」、「統計処理」などを定義する。「表示内容」は、情報取得装置１が備えているユーザー状況から選択が可能となっており、ユーザーは特定シーンに応じて表示させたいユーザー状況を選択する。「表示形式」は、情報表示装置２に表示させたいグラフなどの形式を選択する。表示形式としては、例えば、折れ線グラフ、棒グラフ、円グラフ、散布図などがある。「統計処理」は、表示内容で選択されたユーザー状況のデータ処理方法を選択する。統計処理としては、例えば、平均値、最大値、最小値、移動平均などがある。なお、これらの生活パターンおよびシーン定義の選択や入力は、情報取得装置１および情報表示装置２の内のいずれかで行うことができる。
【００９８】
「散歩」シーンにおいて、例えば、「表示内容」に「脈拍」、「表示形式」に「折れ線グラフ」、「統計処理」に「移動平均」が選択された場合、後述する表示工程において、ある期間で「散歩」シーンとして抽出された脈波のデータは単位時間で移動平均化された折れ線グラフで示され、それが日付毎に表示される。「表示形式」は、特定シーン定義毎に設定されるので、表示部に表示されるユーザー状況のデータは、特定シーンに応じた異なる表示形式で表示させることができる。「統計処理」は、特定シーン定義毎に設定されるので、表示部に表示されるユーザー状況は、特定シーンに応じた異なるデータ処理が施される。
【００９９】
ステップＳ１０２は、ユーザー状況を取得する状況取得工程である。図９は、生体情報を取得した結果の一例を示す図である。ステップＳ１０２の状況取得工程について、図９を用いて説明する。情報取得装置１は、状況取得部２２０に備えられている位置情報取得部２３０、生体情報取得部４０、体動情報取得部２４０によって、位置情報、生体情報、および体動情報を連続または所定の間隔で取得する。図９に示す一例では、生体情報として脈拍、体温、血圧を測定し、一定時間Δｔ毎に測定した脈拍の周波数から低周波数成分と高周波数成分との比率を求めリラックス状態かエキサイト（興奮）状態かを分析して定量化した分析結果を示している。なお、ユーザー状況の他に、画像、映像、音声なの情報を加えてもよい。
【０１００】
ステップＳ１０３は、ユーザー状況を分析して特定シーンを抽出するシーン抽出工程である。図１０は、特定シーンの一例としての「散歩」シーンの抽出を説明する図である。ステップＳ１０３の抽出工程について、図１０を用いて説明する。特定シーンの一例としての「散歩」シーンは、図８で示したシーン定義がされているので、シーン抽出部３１０は、シーン定義で定義された時間帯と位置情報とが一致する範囲の脈拍のデータを抽出する。図１０では、脈拍のデータに位置情報のデータを重ねて示している。「塗りつぶしの丸」印は、自宅の位置が記録された点を示し、「塗りつぶしの三角」印は、経由地の位置が記録された点を示している。
【０１０１】
図１０に示すように、日にちにより散歩を行う時間が多少前後しても予めシーン定義で抽出方法を定義することで「散歩」シーンの脈拍を正しく抽出することができる。本実施形態の情報表示システム３は、情報表示装置２に送られてくるユーザー状況のデータから特定シーンをリアルタイムに抽出させる機能や、記憶部３５０に蓄積されたユーザー状況のデータを参照して、例えば一日分をまとめて複数の特定シーンを抽出させる機能を有している。なお、本実施形態では、ユーザー状況の一例として脈拍のデータについて説明したが、情報取得装置１が備えている脈拍以外のユーザー状況のデータについても同様に抽出することができる。
【０１０２】
ステップＳ１０４は、抽出された特定シーンとユーザー状況とを関連付けて記録する記録工程である。情報表示装置２の処理部３００は、シーン抽出部３１０で抽出された特定シーンと、シーン定義の「表示内容」で選択されたユーザー状況のデータとを関連付けて記憶部３５０に記録する。
【０１０３】
ステップＳ１０５は、特定シーンにおけるユーザー状況を表示する表示工程である。図１１（ａ）は、抽出された特定シーンとユーザー状況とを表示させた一例を示す図である。図１１（ｂ）は特異点の地図情報の一例を示す図である。ステップＳ１０５の表示工程について、図１１を用いて説明する。図１１（ａ）の縦軸は脈拍を示し、横軸は散歩した距離を示している。ユーザーにより表示させたい特定シーンが情報表示装置２に入力操作された時、処理部３００は、記憶部３５０に記録されている特定シーンとユーザー状況のデータとを関連付けたデータを参照し、シーン定義で定義された表示方法に従ってデータ処理をおこない、表示制御部３２０を制御して表示部３４０にグラフを表示する。例えば、散歩シーンであれば、図１１（ａ）に示すような、散歩距離と脈拍数との変化が日付毎に表示される。
【０１０４】
図１１（ａ）のグラフにおいて、特異点を更に分析する機能を備えていてもよい。図１１（ａ）のグラフでは、３ｋｍ付近に脈拍が上昇する特異点がある。本実施形態の情報表示システムは、特異点をクリックするとその地点の地図情報を示す機能を有している。図１１（ｂ）は、特異点がクリックされた時に表示部３４０に表示される地図情報の一例を示している。処理部３００は、記憶部に格納されている地図データと散歩シーンの位置情報とを照合して特異点付近の地図情報を生成し、表示制御部３２０を制御して表示部３４０に地図情報を表示する。ユーザーは地図情報を参照することで、脈拍の特異点が地形に起因するものか、身体的能力に起因するものなのかを分析することができる。
【０１０５】
なお、ステップＳ１０３からステップＳ１０５の工程は、記憶部３５０に格納されたプログラム３６０に基づいて処理部３００がシーン抽出部３１０や表示制御部３２０などを制御することにより実行される。
【０１０６】
以上述べたように、本実施形態に係る情報表示システム、情報表示装置、情報表示方法、およびプログラムによれば、以下の効果を得ることができる。
本実施形態に係る情報表示装置２は、外部機器からユーザーの生体情報、体動情報、位置情報のうちの少なくとも一つを含むユーザー状況を取得して、そのユーザー状況を利用して特定シーンを抽出するシーン抽出部３１０と、特定シーンとユーザー状況のデータとを関連付けて記憶部３５０に記録する記憶部３５０と、を備えている。これにより、情報表示装置２は特定シーンだけを集めたユーザー状況のデータを表示部３４０に表示をさせることができるので、ユーザーは特定シーン毎のユーザー状況のデータを分析することができるようになる。したがって、特定シーン毎のユーザー状況を容易に表示する機能を備えた情報表示装置２を提供することができる。
また、情報表示システム３は、特定シーン毎のユーザー状況を容易に表示する機能を備えた情報表示装置２と、外部機器としての情報取得装置１とを備えているので、特定シーン毎のユーザー状況を容易に表示する機能を備えた情報表示システム３を提供することができる。
【０１０７】
また、情報表示システム３の情報表示方法は、情報取得装置１から生体情報、体動情報、位置情報のうちの少なくとも一つを含むユーザー状況を取得して、特定シーンを抽出するシーン抽出工程と、特定シーンとユーザー状況のデータとを関連付けて記憶部３５０に記録する記録工程と、処理部３００が記憶部３５０に記録された特定シーンだけを抽出したユーザー状況のデータを表示部３４０に表示する表示工程とを備えている。これにより、ユーザーは特定シーン毎のデータを分析することができるようになる。したがって、特定シーン毎のユーザー状況を容易に表示する情報表示方法を提供することができる。
また、情報表示システム３のプログラム３６０は、処理部３００にシーン抽出工程と記録工程と表示工程とを実行させるので、ユーザーは表示部３４０に表示された情報を参照することで、特定シーン毎のデータを分析することができるようになる。したがって、特定シーン毎のユーザー状況を容易に表示させるプログラム３６０を提供することができる。
【０１０８】
（実施形態２）
図１２は、実施形態２に係る情報表示システムの機能ブロック図である。本実施形態に係る情報表示システムの全体構成について図１２を参照して説明する。なお、実施形態１と同一の構成部位については、同一の番号を使用し、重複する説明は省略する。本実施形態の情報表示システムは、シーン抽出部およびプログラムが情報取得装置に備えられているところが実施形態１と異なっている。
【０１０９】
図１２に示すように、情報表示システム３ａは、情報取得装置１ａと、情報表示装置２ａと、を含んでいる。情報取得装置１ａの処理部２１０ａは、シーン抽出部２１９を含んでいる。シーン抽出部２１９は、ユーザー状況を分析して特定シーンを抽出する。例えば、ユーザーが毎朝同じコースを散歩する習慣がある場合、シーン抽出部２１９は、ユーザー状況のデータから散歩シーン（特定シーン）のデータだけを抽出する。
【０１１０】
記憶部２７０aは、生体情報取得部４０、体動情報取得部２４０、位置情報取得部２３０で得られたユーザー状況のデータや各種テーブル等の格納、処理部２１０ａの作業領域等を確保するためのものであり、ＲＡＭ（Random Access Memory）、ＥＥＰＲＯＭ（Electrically Erasable Programmable Read Only Memory）などの記憶素子を有する。また、記憶部２７０ａは、シーン抽出部２１９で抽出された特定シーンとユーザー状況を関連付けたデータなどの格納を行う。
【０１１１】
記憶部２７０ａには、プログラム２７５が格納されている。プログラム２７５は、処理部２１０ａに読み込まれ実行されることで、状況取得部２２０で取得されたユーザー状況を分析して特定シーンを抽出することと、特定シーンとユーザー状況とを関連付けて記憶部２７０ａに記録することと、情報表示装置２ａの要求にしたがって、特定シーンにおけるユーザー状況のデータを情報表示装置２ａに送信することと、を実現する。
【０１１２】
情報表示装置２ａは、スマートフォンやタブレットコンピューターなどの携帯端末である。情報表示装置２ａは、特定シーンとユーザー状況とを関連付けたデータの要求を情報取得装置１ａに送信し、情報取得装置１ａから受信した特定シーンにおけるユーザー状況のデータを表示部３４０ａに表示する。
【０１１３】
図１３は、ユーザー状況の情報表示方法を示す工程図である。特定シーンにおけるユーザー状況の情報表示方法について、図１３を用いて説明する。なお、ステップＳ２０１およびステップＳ２０２は、実施形態１で説明したステップＳ１０１およびステップＳ１０２と同じ内容であるので、その説明は省略する。
【０１１４】
ステップＳ２０３は、ユーザー状況を分析して特定シーンを抽出するシーン抽出工程である。シーン抽出部２１９は、シーン定義で定義された時間帯と位置情報とが一致する範囲の脈波のデータを抽出する。本実施形態の情報表示システム３aは、状況取得部２２０で取得されたユーザー状況のデータから特定シーンをリアルタイムに抽出させる機能や、記憶部２７０ａに蓄積されたユーザー状況のデータを参照して、例えば一日分をまとめて複数の特定シーンを抽出させる機能を有している。
【０１１５】
ステップＳ２０４は、抽出された特定シーンとユーザー状況とを関連付けて記録する記録工程である。情報取得装置１ａの処理部２１０ａは、シーン抽出部２１９で抽出された特定シーンと、シーン定義の「表示内容」で選択されたユーザー状況のデータとを関連付けて記憶部２７０ａに記録する。
【０１１６】
ステップＳ２０５は、特定シーンにおけるユーザー状況のデータを送信する送信工程である。ユーザーにより表示させたい特定シーンの要求が情報表示装置２ａに入力操作され、情報取得装置１ａがその要求を受信した時、処理部２１０ａは、記憶部２７０ａに記録されている特定シーンとユーザー状況のデータとを関連付けたデータを参照し、シーン定義で定義された表示方法に従ってデータ処理をおこない、特定シーンにおけるユーザー状況のデータを情報表示装置２ａに送信する。
【０１１７】
ステップＳ２０６は、特定シーンにおけるユーザー状況を表示する表示工程である。情報表示装置２ａは、情報取得装置１ａから受信した特定シーンにおけるユーザー状況のデータを表示部３４０ａに表示する。
【０１１８】
なお、ステップＳ２０３からステップＳ２０５の工程は、記憶部２７０ａに格納されたプログラム２７５に基づいて処理部２１０ａがシーン抽出部２１９や通信部２８０などを制御することにより実行される。
【０１１９】
以上述べたように、本実施形態に係る情報表示システム３ａによれば、以下の効果を得ることができる。
情報取得装置１ａは、ユーザーの生体情報、体動情報、位置情報のうちの少なくとも一つを含むユーザー状況を取得して、そのユーザー状況を利用して特定シーンを抽出するシーン抽出部２１９と、特定シーンとユーザー状況のデータとを関連付けて記録する記憶部２７０ａと、特定シーンにおけるユーザー状況のデータを情報表示装置２ａに送信する通信部２８０を備えている。情報表示装置２ａは情報取得装置１ａから受信したユーザー状況のデータを表示部３４０ａに表示をさせるので、ユーザーは特定シーン毎のユーザー状況のデータを分析することができるようになる。したがって、特定シーン毎のユーザー状況を容易に表示する機能を備えた情報表示システム３ａを提供することができる。
【０１２０】
また、情報表示システム３ａの情報表示方法は、情報取得装置１ａによって生体情報、体動情報、位置情報のうちの少なくとも一つを含むユーザー状況を取得して、特定シーンを抽出するシーン抽出工程と、特定シーンとユーザー状況のデータとを関連付けて記憶部２７０ａに記録する記録工程と、を備えている。そして、情報取得装置１ａの処理部２１０ａが記憶部２７０ａに記録された特定シーンだけを抽出したユーザー状況のデータを情報表示装置２ａに送信する送信工程と、情報表示装置２ａが受信したユーザー状況のデータを表示部３４０ａに表示する表示工程と、を備えている。これにより、ユーザーは特定シーン毎のデータを分析することができるようになる。したがって、特定シーン毎のユーザー状況を容易に表示する情報表示方法を提供することができる。
【符号の説明】
【０１２１】
１，１ａ…情報取得装置、２，２ａ…情報表示装置、３，３ａ…情報表示システム、５…ＧＰＳ衛星、４０…生体情報取得部、４２…脈波センサー、２１０，２１０ａ…処理部、２１２…信号処理部、２１４…拍動演算部、２１６…報知制御部、２１８…計時部、２１９，３１０…シーン抽出部、２２０…状況取得部、２３０…位置情報取得部、２３５，３３５…アンテナ、２４０…体動情報取得部、２５０…振動発生部、２６０，３４０，３４０ａ…表示部、２７０，２７０ａ，３５０…記憶部、２７５，３６０…プログラム、２８０，３３０…通信部、３００…処理部、３２０…表示制御部。
【図１】
2016202792.tif 000003
【図２】
2016202792.tif 000004
【図３】
2016202792.tif 000005
【図４】
2016202792.tif 000006
【図５】
2016202792.tif 000007
【図６】
2016202792.tif 000008
【図７】
2016202792.tif 000009
【図８】
2016202792.tif 000010
【図９】
2016202792.tif 000011
【図１０】
2016202792.tif 000012
【図１１】
2016202792.tif 000013
【図１２】
2016202792.tif 000014
【図１３】
2016202792.tif 000015